(57)【特許請求の範囲】
【請求項１】
壁と床とからなる建物ユニットを複数接合させて構成するユニット建物において、
上階部と下階部にそれぞれ３つ以上建物ユニットが並設されると共に上階部の壁と下階部の壁とがジョイントボルトによって接合され、そのうち隣接する２つ以上の建物ユニットは、同一直線上に並ぶ位置に側面に壁のない領域を有し、これら建物ユニットの壁のない領域に跨がって外形側面視が四角形の面形状の渡り壁パネルが設けられ、上階部の渡り壁パネルと下階部の渡り壁パネルとは、その側端位置が平面視で異なると共にジョイントボルトによって接合されることを特徴とするユニット建物。
【請求項２】
前記上階部の渡り壁パネルには２つ以上の建物ユニットに跨がる開口が形成されていることを特徴とする請求項１に記載のユニット建物。
【請求項３】
壁と床とからなる建物ユニットを複数接合させて構成するユニット建物において、
側面に壁のない領域が設けられる建物ユニットを上階部に２つ以上有し、それら建物ユニットは、壁のない領域が同一直線上に並ぶように隣接配置され、それら建物ユニットの壁のない領域に跨がって外形側面視が四角形の面形状の渡り壁パネルが設けられ、
上階部の渡り壁パネルの上部には渡り壁パネルの端部へ達する長尺の梁材が設けられ、この梁材の両端は上記渡り壁パネル両端の枠材によって支持され、この枠材の下端が下階部の建物ユニットの壁端部の枠材によって支持されることを特徴とするユニット建物。
【発明の詳細な説明】
【０００１】
【発明の属する技術分野】
この発明は、ユニット建物に関するものである。
【０００２】
【従来の技術】
工場で量産したほぼ箱型の建物ユニットを建築現場で複数接合させてユニット建物を構築するユニット工法が行われている。
【０００３】
このようなユニット工法は、建築現場での施工工数を少なくすることができるので、施工期間の短縮を図る上で非常に便利であり、しかも、コストを抑えることができる。
【０００４】
【発明が解決しようとする課題】
このようなユニット建物では、各建物ユニットごとに独立した壁パネルが設けられているので、建物ユニット間の継目に必ず壁パネルの継目ができてしまうという問題がある。また、複数の建物ユニットに跨がる窓などの開口を形成することができないという問題がある。
【０００５】
また、複数の建物ユニットに跨がる渡り壁パネルを設け、この渡り壁パネルに複数の建物ユニットに跨がる大きな開口を設けた場合、開口の上部に梁材などが設けられるが、この梁材を支持するのに、補強柱が必要になるなどの問題がある。
【０００６】
そこで、本発明の目的は、上記の問題点を解消し、複数の建物ユニットに跨がる渡り壁パネルを取付けることによって生じる問題を解消することのできるユニット建物を提供することにある。
【０００７】
【課題を解決するための手段】
上記課題を解決するために、請求項１に記載された発明では、壁と床とからなる建物ユニットを複数接合させて構成するユニット建物において、上階部と下階部にそれぞれ３つ以上建物ユニットが並設されると共に上階部の壁と下階部の壁とがジョイントボルトによって接合され、そのうち隣接する２つ以上の建物ユニットは、同一直線上に並ぶ位置に側面に壁のない領域を有し、これら建物ユニットの壁のない領域に跨がって外形側面視が四角形の面形状の渡り壁パネルが設けられ、上階部の渡り壁パネルと下階部の渡り壁パネルとは、その側端位置が平面視で異なると共にジョイントボルトによって接合されることを特徴としている。
【０００８】
このように構成された請求項１にかかる発明によれば、壁のない領域が同一直線上に並ぶように隣接配置された２つ以上の建物ユニットの壁のない領域に跨がって外形側面視が四角形の面形状の渡り壁パネルを設けることにより、２つ以上の建物ユニットに跨がる大きな開口を形成することが可能となる。
【０００９】
そして、前記上階部の渡り壁パネルと下階部の渡り壁パネルとの側端位置が平面視で異なるようにすることにより、上記開口の位置の自由度を拡大することができる。
【００１０】
請求項２に記載された発明では、前記上階部の渡り壁パネルに２つ以上の建物ユニットに跨がる開口が形成されていることを特徴とする。
【００１１】
このように構成された請求項２にかかる発明によれば、上階部の渡り壁パネルに大きな窓などを形成することができる。
【００１２】
請求項３に記載された発明では、壁と床とからなる建物ユニットを複数接合させて構成するユニット建物において、側面に壁のない領域が設けられる建物ユニットを上階部に２つ以上有し、それら建物ユニットは、壁のない領域が同一直線上に並ぶように隣接配置され、それら建物ユニットの壁のない領域に跨がって外形側面視が四角形の面形状の渡り壁パネルが設けられ、上階部の渡り壁パネルの上部には渡り壁パネルの端部へ達する長尺の梁材が設けられ、この梁材の両端は上記渡り壁パネル両端の枠材によって支持され、この枠材の下端が下階部の建物ユニットの壁端部の枠材によって支持されることを特徴としている。
【００１３】
このように構成された請求項３にかかる発明によれば、前記梁材を渡り壁パネルの端部まで延長し、上階部の渡り壁パネルおよび下階部の壁端部の枠材で支持することにより、別途、補強柱を設けて開口の上部に設けられる梁材を支持させる必要をなくすことができる。
【００１４】
【発明の実施の形態１】
以下、本発明の具体的な実施の形態１について、図示例と共に説明する。
【００１５】
図１〜図３は、この発明の実施の形態１を示すものである。
【００１６】
まず、構成を説明すると、この実施の形態１のユニット建物１は、２階建てで、下階部２（１階部分）が３つの建物ユニット３〜５で構成され、上階部６（２階部分）が３つの建物ユニット７〜９で構成され、屋根部分１０が３つの建物ユニット１１〜１３で構成されている。そのため、図１の２箇所の位置にユニット分割線１４が形成されている。
【００１７】
下階部２の建物ユニット３は、床１５、一方の桁壁１６、一方の妻壁１７で構成されている。下階部２の建物ユニット４は、床１５、一方の妻壁１７で構成されている。下階部２の建物ユニット５は、床１５、他方の桁壁１８、両方の妻壁１７，１９で構成されている。これらの建物ユニット３〜５は、工場で製造され、建築現場へ搬送されて、建築現場で図示しない基礎の上に据え付けられる。
【００１８】
この際、建物ユニット３〜５を連続して設置することにより、下階部２には１つの大きな空間が形成される。また、建物ユニット３，４の他方の妻側の位置（図中手前側に位置）に壁のない領域２０が同一直線上（或いは同一面上）に並ぶように形成される。この建物ユニット３，４の壁のない領域２０に、建築現場で建物ユニット３，４に跨がる面形状の渡り壁パネル２１が取付けられる。
【００１９】
この渡り壁パネル２１には建物ユニット３，４に跨がる大きな窓などの開口２２が形成されている。また、この開口２２の上部には、まぐさなどの梁材２３が設けられる。
【００２０】
更に、上記建物ユニット３〜５のコーナー部には、吊り金具２４としてのジョイントボルトが取付けられる。また、前記梁材２３には、上方へ延びる２本のジョイントボルト２５が突設される。
【００２１】
上階部６の建物ユニット７は、床１５、一方の桁壁１６、両方の妻壁１７，１９で構成されている。上階部６の建物ユニット８は、床１５、一方の妻壁１７で構成されている。上階部６の建物ユニット９は、床１５、他方の桁壁１８、一方の妻壁１７で構成されている。これらの建物ユニット７〜９は、工場で製造され、建築現場へ搬送されて、建築現場で下階部２の建物ユニット３〜５の上に吊り金具２４としてのジョイントボルトや梁材２３のジョイントボルト２５を利用して据え付けられる。
【００２２】
この際、建物ユニット７〜９を連続して設置することにより、上階部６には１つの大きな空間が形成される。また、建物ユニット８，９の他方の妻側の位置に壁のない領域２０が同一直線上（或いは同一面上）に並ぶように形成される。この建物ユニット８，９の壁のない領域２６に、建築現場で建物ユニット８，９に跨がる面形状の渡り壁パネル２７が取付けられる。そして、上階部６の渡り壁パネル２１と下階部２の渡り壁パネル２７とは、その側端位置が平面視で異なっている。
【００２３】
この渡り壁パネル２７には建物ユニット８，９に跨がる大きな窓などの開口２８が形成されている。また、この開口２８の上部には、まぐさなどの梁材２９が設けられる。
【００２４】
更に、上記建物ユニット７〜９のコーナー部には、吊り金具２４としてのジョイントボルトが取付けられる。また、前記梁材２９には、上方へ延びる２本のジョイントボルト３０が突設される。
【００２５】
ここで、下階部２の建物ユニット３〜５と上階部６の建物ユニット７〜９とを構成する床１５は、枠材に面材を貼り付けてなる床パネルによって構成されている。同様に、下階部２の建物ユニット３〜５と上階部６の建物ユニット７〜９とを構成する壁（桁壁１６，１８、妻壁１７，１９）は、枠材に面材を貼り付けてなる壁パネルによって構成されている。なお、渡り壁パネル２１，２７も枠材に面材を貼り付けてなるパネル構造を有している。
【００２６】
なお、下階部２の渡り壁パネル２１の上部に設けた梁材２３の２本のジョイントボルト２５は、上階部６の渡り壁パネル２７と、上階部６の建物ユニット７の他方の妻壁１９とを固定するのにそれぞれ利用されている。
【００２７】
次に、この実施の形態１の作用について説明する。
【００２８】
壁のない領域２６が同一直線上に並ぶように隣接配置された２つ以上の建物ユニット７〜９の壁のない領域２６に跨がって面形状の渡り壁パネル２７を設けることにより、上階部６に２つ以上の建物ユニット８，９に跨がる大きな開口２８を形成することが可能となる。このように、上階部６に２つ以上の建物ユニット８，９に跨がる大きな開口２８を形成することにより、上階部６に広いリビングを有する間取りに対応させることができる。
【００２９】
そして、前記上階部６の渡り壁パネル２７と下階部２の渡り壁パネル２１との側端位置が平面視で異なるようにすることにより、上記開口２２，２８の位置の自由度を拡大することができる。
【００３０】
【発明の実施の形態２】
図４は、この発明の実施の形態２を示すものである。なお、前記実施の形態１と同一ないし均等な部分については、同一の符号を付して説明する。
【００３１】
この実施の形態２のユニット建物１は、２階建てで、下階部２（１階部分）が２つの建物ユニット３１，３２で構成され、上階部６（２階部分）が２つの建物ユニット３３，３４で構成され、屋根部分１０が２つの建物ユニット３５，３６で構成されている。そのため、図１の１箇所の位置にユニット分割線３７が形成されている。
【００３２】
そして、上階部６の建物ユニット３３，３４は、他方の妻側の位置（図中手前側の位置）に、側面に壁のない領域３８が同一直線上（或いは同一面上）に並ぶように隣接配置されている。
【００３３】
それら建物ユニット３３，３４の壁のない領域３８に跨がって面形状の渡り壁パネル３９が設けられている。この、上階部６の渡り壁パネル３９には、建物ユニット３３，３４に跨がる大きな窓などの開口４０が形成されている。
【００３４】
この渡り壁パネル３９の上部には渡り壁パネル３９の端部へ達する長尺のまぐさなどの梁材４１が設けられ、この梁材４１の両端は上記渡り壁パネル３９両端の枠材４２によって支持され、この枠材４２の下端が下階部２の建物ユニット３１，３２の壁パネル（妻壁１９）端部の枠材４３によって支持されている。
【００３５】
この実施の形態２によれば、梁材４１を渡り壁パネル３９の端部まで延長し、上階部６の渡り壁パネル３９および下階部２の壁パネル端部の枠材４２，４３で支持することにより、枠材４２，４３は建物ユニット３３，３４を吊るために十分な強度を持っているので、別途、補強柱を設けて開口４０の上部に設けられる梁材４１を支持させる必要をなくすことができる。
【００３６】
上記以外の部分については、前記実施の形態１と同様の構成を備えており、同様の作用・効果を得ることができる。
【００３７】
【発明の効果】
以上説明してきたように、請求項１の発明によれば、壁のない領域が同一直線上に並ぶように隣接配置された２つ以上の建物ユニットの壁のない領域に跨がって外形側面視が面形状の渡り壁パネルを設けることにより、２つ以上の建物ユニットに跨がる大きな開口を形成することが可能となる。
【００３８】
そして、前記上階部の渡り壁パネルと下階部の渡り壁パネルとの側端位置が平面視で異なるようにすることにより、上記開口の位置の自由度を拡大することができる。
【００３９】
請求項２の発明によれば、上階部の渡り壁パネルに大きな窓などを形成することができる。
【００４０】
請求項３の発明によれば、梁材を渡り壁パネルの端部まで延長し、上階部の渡り壁パネルおよび下階部の壁端部の枠材で支持することにより、別途、補強柱を設けて開口の上部に設けられる梁材を支持させる必要をなくすことができる、という実用上有益な効果を発揮し得る。
【図面の簡単な説明】
【図１】本発明の実施の形態１のユニット建物の正面図である。
【図２】図１のユニット建物の分解斜視図である。
【図３】図１の梁材の斜視図である。
【図４】本発明の実施の形態２のユニット建物の正面図である。
【符号の説明】
１          ユニット建物
２          下階部
３〜５      建物ユニット
６          上階部
７〜９      建物ユニット
１５        床
１６，１８  桁壁（壁）
１７，１９  妻壁（壁）
２０，２６  壁のない領域
２１，２７  渡り壁パネル
３５．３６  建物ユニット
３８        壁のない領域
３９        渡り壁パネル
４１        梁材
４２，４３  枠材
【図１】
0003739236.tif 000002
【図２】
0003739236.tif 000003
【図３】
0003739236.tif 000004
【図４】
0003739236.tif 000005